(57)【要約】  本発明の実施形態は、キャリア・アグリゲーション・システムの非周期的チャネル状態情報（ＣＳＩ）および非周期的サウンディングレファレンス信号（ＳＲＳ）をトリガする方法および装置を開示する。この方法は、（１）アップリンク・グラント内のＣＳＩ要求フィールドのビットとユーザ機器の複数のダウンリンク・コンポーネント・キャリアＤＬ  ＣＣとの間の対応する関係を事前に割り当てるステップであって、ＣＳＩ要求フィールドのビットの個数は、１より大きく、システム内のＤＬ  ＣＣの最大の許容される個数より小さい、ステップと、（２）非周期的ＣＳＩ報告がトリガされなければならないＤＬ  ＣＣを判定するステップと、（３）判定されたＤＬ  ＣＣに対応するビットの値を「トリガ」としてマークするために、事前に割り当てられた対応する関係に従って、アップリンク・グラント内のＣＳＩ要求フィールドをマッピングするステップとを含む。
2013539278.tif 000002
【特許請求の範囲】
【請求項１】
キャリア・アグリゲーション・システムの非周期的チャネル状態情報（ＣＳＩ）をトリガする方法であって、
（１）アップリンク・グラント内のＣＳＩ要求フィールドの異なる値とダウンリンク・コンポーネント・キャリアＤＬ  ＣＣの異なる組合せのＣＳＩ要求との間のマッピング関係を事前に割り当てるステップであって、前記ＣＳＩ要求フィールドのビットの個数は、１より大きく、前記システム内のＤＬ  ＣＣの最大の許容される個数より小さい、ステップと、
（２）非周期的ＣＳＩ報告がトリガされなければならない前記ＤＬ  ＣＣを判定するステップと、
（３）前記事前に割り当てられたマッピング関係および前記判定されたＤＬ  ＣＣに従って、前記アップリンク・グラント内の前記ＣＳＩ要求フィールドの値を投入するステップと
を含む方法。
【請求項２】
前記マッピング関係は、前記アップリンク・グラントを搬送する前記ＤＬ  ＣＣのＣＳＩ報告がトリガされなければならないことを示すための前記ＣＳＩ要求フィールドの第１の値のマッピングを含む、請求項１に記載の方法。
【請求項３】
前記マッピング関係は、すべてのＤＬ  ＣＣに関するＣＳＩ報告がトリガされなければならないことを示すための前記ＣＳＩ要求フィールドの第２の値のマッピングを含む、請求項１に記載の方法。
【請求項４】
前記マッピング関係は、どのＤＬ  ＣＣのＣＳＩ報告もトリガされてはならないことを示すための前記ＣＳＩ要求フィールドの第３の値のマッピングを含む、請求項１または２に記載の方法。
【請求項５】
１つのアップリンク・グラントが、ステップ（２）で判定されたすべてのＤＬ  ＣＣのＣＳＩ報告をトリガするのに十分ではない時に、第１アップリンク・グラントと同一サブフレーム内でまたは後続サブフレーム内で、複数の単一ビットのトリガするアップリンク・グラントを送信するステップ
をさらに含む、請求項１に記載の方法。
【請求項６】
キャリア・アグリゲーション・システムの非周期的チャネル状態情報（ＣＳＩ）を報告する方法であって、
（１）アップリンク・グラント内のＣＳＩ要求フィールドの異なる値とダウンリンク・コンポーネント・キャリアＤＬ  ＣＣの異なる組合せのＣＳＩ要求との間のマッピング関係を事前に割り当てるステップであって、前記ＣＳＩ要求フィールドのビットの個数は、１より大きく、前記システム内のＤＬ  ＣＣの最大の許容される個数より小さい、ステップと、
（２）非周期的ＣＳＩ報告が実施されなければならない前記ＤＬ  ＣＣを判定するために、前記事前に割り当てられたマッピング関係に従って、前記受信されたアップリンク・グラント内の前記ＣＳＩ要求フィールドをデマッピングするステップと
を含む方法。
【請求項７】
前記マッピング関係は、前記アップリンク・グラントを搬送する前記ＤＬ  ＣＣのＣＳＩ報告がトリガされなければならないことを示すための前記ＣＳＩ要求フィールドの第１の値のマッピングを含む、請求項６に記載の方法。
【請求項８】
前記マッピング関係は、すべてのＤＬ  ＣＣに関するＣＳＩ報告がトリガされなければならないことを示すための前記ＣＳＩ要求フィールドの第２の値のマッピングを含む、請求項６に記載の方法。
【請求項９】
前記マッピング関係は、どのＤＬ  ＣＣのＣＳＩ報告もトリガされてはならないことを示すための前記ＣＳＩ要求フィールドの第３の値のマッピングを含む、請求項６または７に記載の方法。
【請求項１０】
キャリア・アグリゲーション・システムの非周期的チャネル状態情報（ＣＳＩ）をトリガする装置であって、
（１）アップリンク・グラント内のＣＳＩ要求フィールドの異なる値とダウンリンク・コンポーネント・キャリアＤＬ  ＣＣの異なる組合せのＣＳＩ要求との間のマッピング関係を事前に割り当てる第５の事前に割り当てる手段であって、前記ＣＳＩ要求のビットの個数は、１より大きく、前記システム内のＤＬ  ＣＣの最大の許容される個数より小さい、手段と、
（２）非周期的ＣＳＩ報告がトリガされなければならない前記ＤＬ  ＣＣを判定する第５の判定する手段と、
（３）前記事前に割り当てられたマッピング関係および前記判定されたＤＬ  ＣＣに従って、前記アップリンク・グラント内の前記ＣＳＩ要求フィールドの値を投入する第５のマッピングする手段と
を含む装置。
【請求項１１】
前記マッピング関係は、前記アップリンク・グラントを搬送する前記ＤＬ  ＣＣのＣＳＩ報告がトリガされなければならないことを示すための前記ＣＳＩ要求フィールドの第１の値のマッピングを含む、請求項１０に記載の装置。
【請求項１２】
前記マッピング関係は、どのＤＬ  ＣＣのＣＳＩ報告もトリガされてはならないことを示すための前記ＣＳＩ要求フィールドの第３の値のマッピングを含む、請求項１０または１１に記載の装置。
【請求項１３】
キャリア・アグリゲーション・システムの非周期的チャネル状態情報（ＣＳＩ）を報告する装置であって、
（１）アップリンク・グラント内のＣＳＩ要求フィールドの異なる値とダウンリンク・コンポーネント・キャリアＤＬ  ＣＣの異なる組合せのＣＳＩ要求との間のマッピング関係を事前に割り当てる第６の事前に割り当てる手段であって、前記ＣＳＩ要求フィールドのビットの個数は、１より大きく、前記システム内のＤＬ  ＣＣの最大の許容される個数より小さい、手段と、
（２）非周期的ＣＳＩ報告が実施されなければならない前記ＤＬ  ＣＣを判定するために、前記事前に割り当てられたマッピング関係に従って、前記受信されたアップリンク・グラント内の前記ＣＳＩ要求フィールドをデマッピングする第６の判定する手段と
を含む装置。
【請求項１４】
前記マッピング関係は、前記アップリンク・グラントを搬送する前記ＤＬ  ＣＣのＣＳＩ報告がトリガされなければならないことを示すための前記ＣＳＩ要求フィールドの第１の値のマッピングを含む、請求項１３に記載の装置。
【請求項１５】
前記マッピング関係は、どのＤＬ  ＣＣのＣＳＩ報告もトリガされてはならないことを示すための前記ＣＳＩ要求フィールドの第３の値のマッピングを含む、請求項１３または１４に記載の装置。
【発明の詳細な説明】
【技術分野】
【０００１】
本発明は、キャリア・アグリゲーション（ｃａｒｒｉｅｒ  ａｇｇｒｅｇａｔｉｏｎ）システムに関し、より具体的には、キャリア・アグリゲーション・システムの非周期的状態関連情報のトリガおよび報告の方法および装置に関する。
【背景技術】
【０００２】
ＬＴＥ−Ａｄｖａｎｃｅｄは、より高い帯域幅内での動作をサポートするために、キャリア・アグリゲーション技術を導入した。キャリア・アグリゲーションは、複数の離散周波数帯を集約することによって、合同でユーザ機器（ＵＥ）にサービスすることができる。ＬＴＥの後方互換性を考慮して、ＬＴＥ−Ａｄｖａｎｃｅｄは、コンポーネント・キャリア（略してＣＣと称する）という概念を導入した。ＬＴＥでは、各セルは、１つのＣＣだけを有し、各ＵＥも、このＵＥにサービスする１つのＣＣだけを有する。しかし、ＬＴＥ−Ａｄｖａｎｃｅｄでは、各セルは、複数のＣＣを有し、各ＵＥは、このＵＥにサービスする複数のＣＣを有することができる。ＬＴＥ−Ａｄｖａｎｃｅｄへのキャリア・アグリゲーション技術の導入に起因して、ＬＴＥ−Ａｄｖａｎｃｅｄでの非周期的情報のスケジューリング（またはトリガ）は、より複雑になり、ＬＴＥの既存の機構を再利用することができない。
【０００３】
具体的には、ＬＴＥ−Ａｄｖａｎｃｅｄでは、複数のＣＣ（現在は５つまでのＣＣが許容される）を、セルごとに構成することができ、各ＵＥも、複数のＣＣを有することができる。しかし、すべてのＵＥが、それが位置するセル内のすべてのＣＣを使用するとは限らない。ＵＥによって使用されるＣＣを、構成されたＣＣ（ｃｏｎｆｉｇｕｒｅｄ  ＣＣ）と称し、使用されないＣＣを、構成されないＣＣ（ｎｏｎ−ｃｏｎｆｉｇｕｒｅｄ  ＣＣ）と称する。異なるＵＥは、異なる構成された／構成されないＣＣを有することができる。構成されたＣＣを、さらに、アクティブ化されたＣＣおよび非アクティブ化されたＣＣに分割することができる。ＵＥは、アクティブ化されたＣＣ上でデータを送信し、非アクティブ化されたＣＣ上でデータ送信を実行しない。ＵＥごとに、構成されたまたはアクティブ化されたアップリンク・コンポーネント・キャリア（ＵＬ  ＣＣ）の個数を、構成されたまたはアクティブ化されたダウンリンク・コンポーネント・キャリア（ＤＬ  ＣＣ）の個数と等しい（このケースを、対称キャリア・アグリゲーションと称する）または異なる（このケースを、非対称キャリア・アグリゲーションと称する）のいずれかとすることができる。スケジューリングに関して、Ｎｏｄｅ  Ｂ（ｅＮＢ）は、１つのＤＬ  ＣＣ上で、対にされたＵＬ  ＣＣ上のデータ送信もしくは制御情報送信または他のＵＬ  ＣＣ（すなわち、対にされていないＵＬ  ＣＣ）上のデータ送信もしくは制御情報送信（このケースを、クロス・スケジューリングと称する）をスケジューリングすることができる。
【０００４】
上で説明したＬＴＥ−Ａｄｖａｎｃｅｄシステムで使用される非対称キャリア・アグリゲーション、クロスキャリア・スケジューリング、およびキャリア・アクティブ化／非アクティブ化の機構を考慮して、ＬＴＥで使用される非周期的情報送信のスケジューリング技術は、もはや、ＬＴＥ−Ａｄｖａｎｃｅｄシステムに適していない。非周期的情報送信は、たとえば、非周期的チャネル品質指標（Ｃｈａｎｎｅｌ  Ｑｕａｌｉｔｙ  Ｉｎｄｉｃａｔｏｒ（略してＣＯＩと称する））報告または非周期的アップリンクサウンディングレファレンス信号（ｓｏｕｎｄｉｎｇ  ｒｅｆｅｒｅｎｃｅ  ｓｉｇｎａｌ（ＳＲＳ））送信を含む。
【０００５】
具体的には、ＬＴＥには１つのＣＣだけがあるので、単純にＤＣＩフォーマット０の１ビットを介して非周期的チャネル状態情報（ｃｈａｎｎｅｌ  ｓｔａｔｅ  ｉｎｆｏｒｍａｔｉｏｎ（略してＣＳＩと称する））報告のスケジューリングを示すことが可能である。たとえば、ＬＴＥ  Ｒｅｌ−８では、ＣＳＩ報告が、ＤＣＩフォーマット０のＣＱＩ要求ビットを介してスケジューリング（またはトリガ）される。ＣＳＩは、たとえば、チャネル品質指標（ＣＱＩ）、プリコーディングマトリックス指標（Ｐｒｅｃｏｄｉｎｇ  Ｍａｔｒｉｘ  Ｉｎｄｉｃａｔｏｒ（ＰＭＩ））、ランク指標（Ｒａｎｋ  Ｉｎｄｉｃａｔｏｒ（ＲＩ））、および他の情報を含む。しかし、そのような方法は、キャリア・アグリゲーション技法を使用するＬＴＥ−Ａｄｖａｎｃｅｄシステムに適さない。したがって、ＬＴＥ−Ａｄｖａｎｃｅｄに適する、非周期的ＣＳＩ報告および非周期的ＳＲＳ送信の新しい機構の必要がある。
【０００６】
最後のＲＡＮＩ−＃６１ｂｉｓ会合では、非周期的ＣＳＩ報告に関する議論は、非周期的ＣＳＩ報告の送信すなわち、非周期的ＣＳＩ報告を伝えるＵＬ  ＣＣの選択に焦点を合わせた。非周期的ＣＳＩ報告のもう１つの問題すなわち複数のＤＬ  ＣＣについて提供される非周期的ＣＳＩ報告をトリガする機構に関して、限られた議論だけがある。
【０００７】
現在、アップリンク・グラント（ＵＬグラント）を使用することによって複数のＤＬ  ＣＣ（すなわち、キャリア・アグリゲーション）について非周期的ＣＳＩ報告をトリガするいくつかの形が提案されている。たとえば、１つのＤＬ  ＣＣに関する非周期的ＣＳＩ報告をトリガするのに１つのＵＬグラントを使用するさまざまな方法が、Ｒ１−１０３６８４で提案され、これを下で短く述べる。
【０００８】
１．ＳＩＢ２リンケージによるＣＱＩトリガ。この解決策では、１つのＤＬ  ＣＣに関するＣＳＩ報告を、同一のＣＣ上のＵＬグラントによってトリガすることだけができる。さらに、ＵＬグラントは、ＳＩＢ２リンクされたＵＬ  ＣＣ上で送信される。
【０００９】
ＳＩＢ２リンクされたＵＬ  ＣＣがＵＥのために構成されていない場合について、いくつかの変更が要求されるはずである。たとえば、キャリア指標フィールド（ｃａｒｒｉｅｒ  ｉｎｄｉｃａｔｏｒ  ｆｉｅｌｄ（略してＣＩＦと称する））をＣＳＩ報告を要求するＣＣ（略してＣＳＩ−ＣＣと称する）にマッピングすることが可能である可能性がある。
【００１０】
２．ＣＳＩスキャン。ＵＬグラントは、周期的な基礎で、すべてのＤＬ  ＣＣを介してスキャンする連続するＣＳＩ報告をトリガする。
【００１１】
３．明示的マッピング。ｍビットＣＳＩフィールドが、ＰＵＳＣＨ上で伝えられるＣＳＩ−ＣＣを示すためにＵＬ  ＤＣＩフォーマットに追加される（アップリンク・グラントは、ＵＬ  ＤＣＩフォーマット内で搬送される）。これが、クロスＣＣスケジューリングに関するＣＩＦフィールドに類似するが、この場合に、ｍビットＣＳＩフィールドがＣＳＩ−ＣＣを示すのに使用されることに留意されたい。
【００１２】
４．ＣＳＩ−ＣＣフィールドが、１ビットＣＱＩトリガと共に合同で符号化される。この場合に、ｍ＝ｌｏｇ２（Ｎｃｃ＋１）ビットが、ＣＳＩトリガおよびＣＳＩ−ＣＣインデックスを合同で示すのに必要であり、ここで、Ｎｃｃは、アクティブ化されたＤＬ  ＣＣの個数を表す。
【００１３】
上の解決策の詳細情報については、参照によって本明細書に組み込まれている、Ｒ１−１０３６９４、「ＵＣＩ  ｔｒａｎｓｍｉｓｓｉｏｎ  ｏｎ  ＰＵＳＣＨ  ｆｏｒ  ｃａｒｒｉｅｒ  ａｇｇｒｅｇａｔｉｏｎ」、ＴＩを参照されたい。
【００１４】
しかし、上の方法は、１つのアップリンク・グラントを使用することによって１つのＤＬ  ＣＣの非周期的ＣＳＩ報告をトリガすることだけができる。Ｒ１−１０３６９４で言及されているように、１つのＤＬ  ＣＣの１つの非周期的ＣＳＩ報告のトリガは、ＣＳＩフィードバック・ペイロードを制限する。さらに、複数のＤＬ  ＣＣの非周期的ＣＳＩ報告をトリガする間に、複数のアップリンク・グラントを送信する必要があるので、これは、アップリンク・グラントのオーバーヘッドを増やし、すべてのアクティブ化されたＤＬ  ＣＣのＣＳＩ報告に関するフィードバック遅延をも増やす。
【００１５】
その一方で、現在、１つのアップリンク・グラントを使用することによってすべてのＤＬ  ＣＣの非周期的ＣＳＩ報告をトリガする解決策が提案されている。この解決策では、かかわるＤＬ  ＣＣのＣＳＩ報告がトリガされるだけではなく、他の望まれないＤＬ  ＣＣのＣＳＩ報告もトリガされる。したがって、これは、大きいＣＳＩ報告オーバーヘッドおよび差別化されない報告の形をこうむる。
【００１６】
非周期的ＳＲＳ送信のトリガは、非周期的ＣＳＩ報告のトリガに類似する問題を含む。
【先行技術文献】
【非特許文献】
【００１７】
【非特許文献１】Ｒ１−１０３６８４
【非特許文献２】Ｒ１−１０３６９４、「ＵＣＩ  ｔｒａｎｓｍｉｓｓｉｏｎ  ｏｎ  ＰＵＳＣＨ  ｆｏｒ  ｃａｒｒｉｅｒ  ａｇｇｒｅｇａｔｉｏｎ」、ＴＩ
【発明の概要】
【発明が解決しようとする課題】
【００１８】
従来技術の既存の問題に鑑みて、本発明の実施形態は、キャリア・アグリゲーション・システムの非周期的情報送信の改善された処理方法および装置を提供する。
【課題を解決するための手段】
【００１９】
本発明の実施形態によれば、キャリア・アグリゲーション・システムの非周期的チャネル状態情報（ＣＳＩ）をトリガする方法であって、
（１）アップリンク・グラント内のＣＳＩ要求フィールドのビットとユーザ機器の複数のダウンリンク・コンポーネント・キャリアＤＬ  ＣＣとの間の対応する関係を事前に割り当てるステップであって、ＣＳＩ要求フィールドのビットの個数は、１より大きく、システム内のＤＬ  ＣＣの最大の許容される個数より小さい、ステップと、
（２）非周期的ＣＳＩ報告がトリガされなければならないＤＬ  ＣＣを判定するステップと、
（３）判定されたＤＬ  ＣＣに対応するビットの値を「トリガ」としてマークするために、事前に割り当てられた対応する関係に従って、アップリンク・グラント内のＣＳＩ要求フィールドをマッピングするステップと
を含む方法が提供される。
【００２０】
本発明のもう１つの実施形態によれば、キャリア・アグリゲーション・システムの非周期的チャネル状態情報（ＣＳＩ）を報告する方法であって、
（１）アップリンク・グラント内のＣＳＩ要求フィールドのビットとユーザ機器の複数のダウンリンク・コンポーネント・キャリアＤＬ  ＣＣとの間の対応する関係を事前に割り当てるステップであって、ＣＳＩ要求フィールドのビットの個数は、１より大きく、システム内のＤＬ  ＣＣの最大の許容される個数より小さい、ステップと、
（２）非周期的ＣＳＩ報告が実施されるＤＬ  ＣＣを判定するために、事前に割り当てられた対応する関係に従って、受信されたアップリンク・グラント内のＣＳＩ要求フィールドをデマッピング（ｄｅｍａｐ）するステップと
を含む方法が提供される。
【００２１】
好ましい実施形態では、ステップ（１）は、ユーザ機器ＵＥのすべてのＤＬ  ＣＣを複数のサブセットに分割することと、ＣＳＩ要求フィールドの異なるビットを異なるサブセットに対応させることとをさらに含む。ステップ（３）は、ステップ（２）でＤＬ  ＣＣが属すると判定されたサブセットに対応するビットの値を「トリガ」としてマークすることをさらに含む。
【００２２】
好ましくは、ＣＳＩ要求フィールドのビットの個数は、ＤＬ  ＣＣが分割されるサブセットの個数と等しく、各ビットは、異なるサブセットに対応する。
【００２３】
もう１つの好ましい実施形態では、ステップ（１）は、アップリンク・グラント内のＣＳＩ要求フィールドの１ビットを、アップリンク・グラントを搬送しつつあるＤＬ  ＣＣに対応させることと、残りのビットを、より上の層のシグナリングによって与えられるＤＬ  ＣＣの優先順位順序またはＣＣ通し番号に従って異なるＤＬ  ＣＣに対応させることとをさらに含む。ステップ（３）は、ＣＳＩ要求フィールドのマッピング中に、ステップ（２）で判定されたＤＬ  ＣＣに対応するビットの値を「トリガ」としてマークすることをさらに含む。
【００２４】
好ましくは、残りのビットに対応するＤＬ  ＣＣは、ｕｐｌｉｎｋ  ｓｈａｒｅｄ  ｃｈａｎｎｅｌ  ＵＬ  ＳＣＨ上にデータ送信がある対にされたアップリンク・コンポーネント・キャリアＵＬ  ＣＣを有するＤＬ  ＣＣを含まない。
【００２５】
好ましくは、この方法は、アップリンク・グラントがステップ（２）で判定されたすべてのＤＬ  ＣＣのＣＳＩ報告をトリガするのに十分でない時に、第１アップリンク・グラントと同一サブフレーム内でまたは後続サブフレーム内で、複数の単一ビットのトリガするアップリンク・グラントを送信することをさらに含む。
【００２６】
本発明のもう１つの実施形態によれば、キャリア・アグリゲーション・システムの非周期的チャネル状態情報（ＣＳＩ）をトリガする装置であって、
アップリンク・グラント内のＣＳＩ要求フィールドのビットとユーザ機器の複数のダウンリンク・コンポーネント・キャリアＤＬ  ＣＣとの対応する関係を事前に割り当てる第１の事前に割り当てる手段であって、ＣＳＩ要求のビットの個数は、１より大きく、システム内のＤＬ  ＣＣの最大の許容される個数より小さい、手段と、
非周期的ＣＳＩ報告がトリガされなければならないＤＬ  ＣＣを判定する第１の判定する手段と、
判定されたＤＬ  ＣＣに対応するビットの値を「トリガ」としてマークするために、事前に割り当てられた対応する関係に従って、アップリンク・グラント内のＣＳＩ要求フィールドをマッピングするマッピングする手段と
を含む装置が提供される。
【００２７】
もう１つの実施形態によれば、キャリア・アグリゲーション・システムの非周期的チャネル状態情報（ＣＳＩ）を報告する装置であって、
アップリンク・グラント内のＣＳＩ要求フィールドのビットとユーザ機器の複数のダウンリンク・コンポーネント・キャリアＤＬ  ＣＣとの間の対応する関係を事前に割り当てる第２の事前に割り当てる手段であって、ＣＳＩ要求フィールドのビットの個数は、１より大きく、システム内のＤＬ  ＣＣの最大の許容される個数より小さい、手段と、
非周期的ＣＳＩ報告が実施されるＤＬ  ＣＣを判定するために、事前に割り当てられた対応する関係に従って、受信されたアップリンク・グラント内のＣＳＩ要求フィールドをデマッピングする第２の判定する手段と
を含む装置が提供される。
【００２８】
本発明のもう１つの実施形態によれば、キャリア・アグリゲーション・システムの非周期的アップリンクサウンディングレファレンス信号（ＳＲＳ）をトリガする方法であって、
（１）アップリンク・グラント内のＳＲＳ要求フィールドのビットとユーザ機器の複数のアップリンク・コンポーネント・キャリアＵＬ  ＣＣとの間の対応する関係を事前に割り当てるステップであって、ＳＲＳ要求フィールドのビットの個数は、１より大きく、システム内のＵＬ  ＣＣの最大の許容される個数より小さい、ステップと、
（２）非周期的ＳＲＳがトリガされなければならないＵＬ  ＣＣを判定するステップと、
（３）判定されたＤＬ  ＣＣに対応するビットの値を「トリガ」としてマークするために、事前に割り当てられた対応する関係に従って、アップリンク・グラント内のＳＲＳ要求フィールドをマッピングするステップと
を含む方法が提供される。
【００２９】
もう１つの好ましい実施形態では、ステップ（１）は、ユーザ機器ＵＥのすべてのＵＬ  ＣＣを複数のサブセットに分割することと、ＳＲＳ要求フィールドの異なるビットを異なるサブセットに対応させることとをさらに含む。ステップ（２）は、ＳＲＳ送信が、ＳＲＳ要求フィールド内で「トリガ」としてマークされているビットに対応するサブセット内のすべてのＵＬ  ＣＣで実施されなければならないと判定することをさらに含む。
【００３０】
好ましくは、ステップ（１）は、アップリンク・グラント内のＳＲＳ要求フィールドの１ビットを、同一のアップリンク・グラント内のキャリア指標フィールドによって指定されるＣＣに対応させることと、残りのビットを、より上の層のシグナリングによって与えられるＵＬ  ＣＣの優先順位順序またはＣＣ通し番号に従って異なるＵＬ  ＣＣに対応させることとをさらに含む。ステップ（２）は、ＳＲＳ要求フィールド内で「トリガ」としてマークされているビットに対応するＵＬ  ＣＣ上でＳＲＳ送信が実施されることを判定することをさらに含む。
【００３１】
本発明のもう１つの実施形態によれば、キャリア・アグリゲーション・システムの非周期的アップリンクサウンディングレファレンス信号（ＳＲＳ）の送信方法であって、
（１）アップリンク・グラント内のＳＲＳ要求フィールドのビットとユーザ機器の複数のアップリンク・コンポーネント・キャリアＵＬ  ＣＣとの間の対応する関係を事前に割り当てるステップであって、ＳＲＳ要求フィールドのビットの個数は、１より大きく、システム内のＵＬ  ＣＣの最大の許容される個数より小さい、ステップと、
（２）ＳＲＳ送信が実施されるＵＬ  ＣＣを判定するために、事前に割り当てられた対応する関係に従って、受信されたアップリンク・グラント内のＳＲＳ要求フィールドをデマッピングするステップと
を含む方法が提供される。
【００３２】
本発明のもう１つの実施形態によれば、キャリア・アグリゲーション・システムの非周期的アップリンクサウンディングレファレンス信号（ＳＲＳ）をトリガする装置であって、
アップリンク・グラント内のＳＲＳ要求フィールドのビットとユーザ機器の複数のアップリンク・コンポーネント・キャリアＵＬ  ＣＣとの間の対応する関係を事前に割り当てる第３の事前に割り当てる手段であって、ＳＲＳ要求のビットの個数は、１より大きく、システム内のＵＬ  ＣＣの最大の許容される個数より小さい、手段と、
非周期的ＳＲＳがトリガされなければならないＵＬ  ＣＣを判定する第３の判定する手段と、
判定されたＵＬ  ＣＣに対応するビットの値を「トリガ」としてマークするために、事前に割り当てられた対応する関係に従って、アップリンク・グラント内のＳＲＳ要求フィールドをマッピングする第３のマッピングする手段と
を含む装置が提供される。
【００３３】
本発明のもう１つの実施形態によれば、キャリア・アグリゲーション・システムの非周期的アップリンクサウンディングレファレンス信号（ＳＲＳ）を報告する装置であって、
アップリンク・グラント内のＳＲＳ要求フィールドのビットとユーザ機器の複数のアップリンク・コンポーネント・キャリアＵＬ  ＣＣとの間の対応する関係を事前に割り当てる第４の事前に割り当てる手段であって、ＳＲＳ要求フィールドのビットの個数は、１より大きく、システム内のＵＬ  ＣＣの最大の許容される個数より小さい、手段と、
ＳＲＳ送信が実施されるＵＬ  ＣＣを判定するために、事前に割り当てられた対応する関係に従って、受信されたアップリンク・グラント内のＳＲＳ要求フィールドをデマッピングする第４の判定する手段と
を含む装置が提供される。
【００３４】
本発明のもう１つの実施形態によれば、キャリア・アグリゲーション・システムの非周期的チャネル状態情報（ＣＳＩ）をトリガする方法であって、
（１）アップリンク・グラント内のＣＳＩ要求フィールドの異なる値とダウンリンク・コンポーネント・キャリアＤＬ  ＣＣの異なる組合せのＣＳＩ要求との間のマッピング関係を事前に割り当てるステップであって、ＣＳＩ要求フィールドのビットの個数は、１より大きく、システム内のＤＬ  ＣＣの最大の許容される個数より小さい、ステップと、
（２）非周期的ＣＳＩ報告がトリガされなければならないＤＬ  ＣＣを判定するステップと、
（３）事前に割り当てられたマッピング関係および判定されたＤＬ  ＣＣに従って、アップリンク・グラント内のＣＳＩ要求フィールドの値を投入するステップと
を含む方法が提供される。
【００３５】
好ましい実施形態では、マッピング関係は、アップリンク・グラントを搬送するＤＬ  ＣＣのＣＳＩ報告がトリガされなければならないことを示すためのＣＳＩ要求フィールドの第１の値のマッピングおよびすべてのＤＬ  ＣＣに関するＣＳＩ報告がトリガされなければならないことを示すためのＣＳＩ要求フィールドの第２の値のマッピングを含む。
【００３６】
本発明のもう１つの実施形態によれば、キャリア・アグリゲーション・システムの非周期的チャネル状態情報（ＣＳＩ）を報告する方法であって、
（１）アップリンク・グラント内のＣＳＩ要求フィールドの異なる値とダウンリンク・コンポーネント・キャリアＤＬ  ＣＣの異なる組合せのＣＳＩ要求との間のマッピング関係を事前に割り当てるステップであって、ＣＳＩ要求フィールドのビットの個数は、１より大きく、システム内のＤＬ  ＣＣの最大の許容される個数より小さい、ステップと、
（２）非周期的ＣＳＩ報告が実施されなければならないＤＬ  ＣＣを判定するために、事前に割り当てられたマッピング関係に従って、受信されたアップリンク・グラント内のＣＳＩ要求フィールドをデマッピングするステップと
を含む方法が提供される。
【００３７】
本発明のもう１つの実施形態によれば、キャリア・アグリゲーション・システムの非周期的チャネル状態情報（ＣＳＩ）をトリガする装置であって、
（１）アップリンク・グラント内のＣＳＩ要求フィールドの異なる値とダウンリンク・コンポーネント・キャリアＤＬ  ＣＣの異なる組合せのＣＳＩ要求との間のマッピング関係を事前に割り当てる第５の事前に割り当てる手段であって、ＣＳＩ要求フィールドのビットの個数は、１より大きく、システム内のＤＬ  ＣＣの最大の許容される個数より小さい、手段と、
（２）非周期的ＣＳＩ報告がトリガされなければならないＤＬ  ＣＣを判定する第５の判定する手段と、
（３）事前に割り当てられたマッピング関係および判定されたＤＬ  ＣＣに従って、アップリンク・グラント内のＣＳＩ要求フィールドの値を投入する第５のマッピングする手段と
を含む装置が提供される。
【００３８】
本発明のもう１つの実施形態によれば、キャリア・アグリゲーション・システムの非周期的チャネル状態情報（ＣＳＩ）を報告する装置であって、
（１）アップリンク・グラント内のＣＳＩ要求フィールドの異なる値とダウンリンク・コンポーネント・キャリアＤＬ  ＣＣの異なる組合せのＣＳＩ要求との間のマッピング関係を事前に割り当てる第６の事前に割り当てる手段であって、ＣＳＩ要求フィールドのビットの個数は、１より大きく、システム内のＤＬ  ＣＣの最大の許容される個数より小さい、手段と、
（２）非周期的ＣＳＩ報告が実施されなければならないＤＬ  ＣＣを判定するために、事前に割り当てられたマッピング関係に従って、受信されたアップリンク・グラント内のＣＳＩ要求フィールドをデマッピングする第６の判定する手段と
を含む装置が提供される。
【００３９】
本発明のもう１つの実施形態によれば、キャリア・アグリゲーション・システムの非周期的アップリンクサウンディングレファレンス信号（ＳＲＳ）をトリガする方法であって、
（１）アップリンク・グラント内のＳＲＳ要求フィールドの異なるビットとアップリンク・コンポーネント・キャリアＵＬ  ＣＣの異なる組合せのＳＲＳ要求との間のマッピング関係を事前に割り当てるステップであって、ＳＲＳ要求フィールドのビットの個数は、１より大きく、システム内のＵＬ  ＣＣの最大の許容される個数より小さい、ステップと、
（２）非周期的ＳＲＳがトリガされなければならないＵＬ  ＣＣを判定するステップと、
（３）事前に割り当てられたマッピング関係および判定されたＵＬ  ＣＣに従って、アップリンク・グラント内のＳＲＳ要求フィールドの値を投入するステップと
を含む方法が提供される。
【００４０】
好ましい実施形態では、マッピング関係は、アップリンク・グラント内のキャリア指標フィールドによって指定されるＣＣ上のＳＲＳ送信がトリガされなければならないことを示すためのＳＲＳ要求フィールドの第１の値のマッピングおよびすべてのＵＬ  ＣＣ上のＳＲＳ送信がトリガされなければならないことを示すためのＳＲＳ要求フィールドの第２の値のマッピングを含む。
【００４１】
本発明のもう１つの実施形態によれば、キャリア・アグリゲーション・システムの非周期的アップリンクサウンディングレファレンス信号（ＳＲＳ）の送信方法であって、
（１）アップリンク・グラント内のＳＲＳ要求フィールドの異なるビットとアップリンク・コンポーネント・キャリアＵＬ  ＣＣの異なる組合せのＳＲＳ要求との間のマッピング関係を事前に割り当てるステップであって、ＳＲＳ要求フィールドのビットの個数は、１より大きく、システム内のＵＬ  ＣＣの最大の許容される個数より小さい、ステップと、
（２）その上でＳＲＳ送信が実施されなければならないＵＬ  ＣＣを判定するために、事前に割り当てられたマッピング関係に従って、受信されたアップリンク・グラント内のＳＲＳ要求フィールドをデマッピングするステップと
を含む方法が提供される。
【００４２】
本発明のもう１つの実施形態によれば、キャリア・アグリゲーション・システムの非周期的アップリンクサウンディングレファレンス信号（ＳＲＳ）をトリガする装置であって、
（１）アップリンク・グラント内のＳＲＳ要求フィールドの異なるビットとアップリンク・コンポーネント・キャリアＵＬ  ＣＣの異なる組合せのＳＲＳ要求との間のマッピング関係を事前に割り当てる第７の事前に割り当てる手段であって、ＳＲＳ要求のビットの個数は、１より大きく、システム内のＵＬ  ＣＣの最大の許容される個数より小さい、手段と、
（２）非周期的ＳＲＳがトリガされなければならないＵＬ  ＣＣを判定する第７の判定する手段と、
（３）事前に割り当てられたマッピング関係および判定されたＵＬ  ＣＣに従って、アップリンク・グラント内のＳＲＳ要求フィールドの値を投入する第７のマッピングする手段と
を含む装置が提供される。
【００４３】
本発明のもう１つの実施形態によれば、キャリア・アグリゲーション・システムの非周期的アップリンクサウンディングレファレンス信号（ＳＲＳ）の送信装置であって、
（１）アップリンク・グラント内のＳＲＳ要求フィールドの異なるビットとアップリンク・コンポーネント・キャリアＵＬ  ＣＣの異なる組合せのＳＲＳ要求との間のマッピング関係を事前に割り当てる第８の事前に割り当てる手段であって、ＳＲＳ要求フィールドのビットの個数は、１より大きく、システム内のＵＬ  ＣＣの最大の許容される個数より小さい、手段と、
（２）その上でＳＲＳ送信が実施されなければならないＵＬ  ＣＣを判定するために、事前に割り当てられたマッピング関係に従って、受信されたアップリンク・グラント内のＳＲＳ要求フィールドをデマッピングする第８の判定する手段と
を含む装置が提供される。
【００４４】
本発明の他の特徴、目的、および利益は、図面に関連して解釈される時の、非限定的な実施形態の詳細な説明からより明白になる。
【図面の簡単な説明】
【００４５】
【図１】ＬＴＥ−ＡｄｖａｎｃｅｄシステムでのＤＬ／ＵＬ対およびクロスキャリア・スケジューリングを示す概略図である。
【図２】本発明の実施形態によるキャリア・アグリゲーション・システムの非周期的チャネル状態情報（ＣＳＩ）をトリガする方法を示す流れ図である。
【図３】本発明のもう１つの実施形態によるキャリア・アグリゲーション・システムの非周期的チャネル状態情報（ＣＳＩ）をトリガする方法を示す流れ図である。
【図４】本発明の実施形態によるキャリア・アグリゲーション・システムの非周期的チャネル状態情報（ＣＳＩ）を報告する方法を示す流れ図である。
【図５】本発明の実施形態によるキャリア・アグリゲーション・システムの非周期的チャネル状態情報（ＣＳＩ）をトリガする装置を示すブロック図である。
【図６】本発明の実施形態によるキャリア・アグリゲーション・システムの非周期的チャネル状態情報（ＣＳＩ）を報告する装置を示すブロック図である。
【図７】本発明の実施形態によるキャリア・アグリゲーション・システムの非周期的アップリンクサウンディングレファレンス信号（ＳＲＳ）をトリガする方法を示す流れ図である。
【図８】本発明の実施形態によるキャリア・アグリゲーション・システムの非周期的アップリンクサウンディングレファレンス信号（ＳＲＳ）の送信方法を示す流れ図である。
【図９】本発明の実施形態によるキャリア・アグリゲーション・システムの非周期的アップリンクサウンディングレファレンス信号（ＳＲＳ）をトリガする装置を示すブロック図である。
【図１０】本発明の実施形態によるキャリア・アグリゲーション・システムの非周期的アップリンクサウンディングレファレンス信号（ＳＲＳ）の送信装置を示すブロック図である。
【図１１】本発明のもう１つの実施形態によるキャリア・アグリゲーション・システムの非周期的チャネル状態情報（ＣＳＩ）をトリガする方法を示す流れ図である。
【図１２】本発明のもう１つの実施形態によるキャリア・アグリゲーション・システムの非周期的チャネル状態情報（ＣＳＩ）を報告する方法を示す流れ図である。
【図１３】本発明のもう１つの実施形態によるキャリア・アグリゲーション・システムの非周期的チャネル状態情報（ＣＳＩ）をトリガする装置を示すブロック図である。
【図１４】本発明のもう１つの実施形態によるキャリア・アグリゲーション・システムの非周期的チャネル状態情報（ＣＳＩ）を報告する装置を示すブロック図である。
【図１５】本発明のもう１つの実施形態によるキャリア・アグリゲーション・システムの非周期的アップリンクサウンディングレファレンス信号（ＳＲＳ）をトリガする方法を示す流れ図である。
【図１６】本発明のもう１つの実施形態によるキャリア・アグリゲーション・システムの非周期的アップリンクサウンディングレファレンス信号（ＳＲＳ）の送信方法を示す流れ図である。
【図１７】本発明のもう１つの実施形態によるキャリア・アグリゲーション・システムの非周期的アップリンクサウンディングレファレンス信号（ＳＲＳ）をトリガする装置を示すブロック図である。
【図１８】本発明のもう１つの実施形態によるキャリア・アグリゲーション・システムの非周期的アップリンクサウンディングレファレンス信号（ＳＲＳ）の送信装置を示すブロック図である。
【発明を実施するための形態】
【００４６】
キャリア・アグリゲーション・システムの非周期的チャネル状態情報送信を処理する方法および装置を、特定の実施形態を参照し、図面に関連して、下で説明する。非周期的情報送信は、たとえば、非周期的ＣＳＩ報告または非周期的ＳＲＳ送信を含む。
【００４７】
本発明の実施形態によれば、キャリア・アグリゲーションに関するＰＵＳＣＨ上での非周期的ＣＳＩ報告および非周期的ＳＲＳ送信をトリガする方法および装置が提供される。
【００４８】
非周期的ＣＳＩ要求
本発明の実施形態では、限られたビットをマッピングするビットによって、構成可能な複数のＤＬ  ＣＣ（たとえば、Ｎ個、Ｎは１以上の正整数）の非周期的ＣＳＩ報告をトリガする効率的な機構が提供され、Ｎは、ＤＣＩフォーマット・サイズとＵＬグラント・オーバーヘッドとの間のトレードオフを達成するために、ＵＥの構成されたＣＣまたはアクティブ化されたＣＣの個数Ｎｃｃ以下である。いくつかの実施形態が適用されるシステムでは、アクティブ化されたＤＬ  ＣＣのＣＳＩ報告の要求またはトリガだけが許容される場合があり、したがって、そのような実施形態では、ＵＥのアクティブ化されたＣＣだけが考慮される。他の実施形態が適用されるシステムでは、非アクティブ化されたＤＬ  ＣＣのＣＳＩ報告のトリガだけが許容される場合があり、したがって、これらの実施形態では、ＵＥの構成されたＣＣを考慮しなければならない。
【００４９】
ＲＡＮ２から既知のように、５つまでのＣＣを、セルごとに構成することができ、各ＵＬ  ＣＣは、セルを構成するために、必ず１つのＤＬ  ＣＣと対にされ、このセル内では、図１に示されているように、ＵＬグラントおよびＤＬ割当が、必ず同一のセルからスケジューリングされる。この合意に基づいて、複数の構成可能なＤＬ  ＣＣの非周期的ＣＳＩ報告をトリガする複数の形が、本発明の実施形態で提案される。
【００５０】
・代替案１  ５つまでの構成可能なＤＬ  ＣＣの非周期的ＣＳＩ報告をトリガするためのすべてのＵＬグラント内の５ビットを用いるビット・マッピング。特定のＵＥに関するアクティブ化されたＤＬ  ＣＣの個数が５つ未満である場合には、非周期的ＣＳＩ要求の５ビット・フィールド内のいくつかのビットは、予約済みになる。これらの予約済みビットは、このケースでは正しく復号される必要がないが、非周期的ＣＳＩ要求の５ビット・フィールドは、すべてのＵＬグラントについて必ず構成され、これは、ＵＬグラントのすべてのＤＣＩフォーマットのサイズを増やす。
【００５１】
５ビット非周期的ＣＳＩ要求が、すべてのＵＬグラントについて構成されるが、複数のＵＬグラントがｅＮＢによって１サブフレーム（またはＴＴＩ）内に送信される（ｅＮＢ構成およびＵＥの対応する挙動を含む）時に、複数のＵＬグラントについて非周期的ＣＳＩ要求フィールドをオーバーラップさせるべきか否かに関して別の問題が生じる。混乱を避けるために、次のように２つの異なる形を指定することを提案する。
【００５２】
ａ）キャリア・アグリゲーションに関するＰＵＳＣＨ上のアップリンク制御情報（ｕｐｌｉｎｋ  ｃｏｎｔｒｏｌ  ｉｎｆｏｒｍａｔｉｏｎ（ＵＣＩ））多重化の原理と一致して、ＵＥが、あるＵＬグラント内の非周期的ＣＳＩ要求に従い、他のＵＬグラント内の非周期的ＣＳＩ要求を無視しなければならないと指定する。
【００５３】
プライマコンポーネントキャリア（ｐｒｉｍｅ  ｃｏｍｐｏｎｅｎｔ  ｃａｒｒｉｅｒ（ＰＣＣ））上のデータを有するＰＵＳＣＨ（アップリンク共用チャネル（ｕｐｌｉｎｋ  ｓｈａｒｅｄ  ｃｈａｎｎｅｌ））送信がある場合には、ＵＥは、非周期的ＣＳＩ報告をトリガするためにＰＣＣについて提供されるＵＬグラント内の非周期的ＣＳＩ要求に従い、他のＵＥグラント内の非周期的ＣＳＩ報告を無視する。
【００５４】
データを有する１つまたは複数のＰＵＳＣＨ送信があり、ＰＣＣ上のデータを有するＰＵＳＣＨ送信がない場合には、ＵＥは、非周期的ＣＳＩ報告をトリガするためにＳＣＣについて提供されるＵＬグラント内の非周期的ＣＳＩ要求に従い、他のＵＥグラント内の非周期的ＣＳＩ要求を無視する。複数のＳＣＣがある場合には、より上の層のシグナリングによって選択すべきＳＣＣを事前に指定するか、選択の優先順位順序を指定することが可能である。
【００５５】
ｂ）アップリンク・グラント内の非周期的ＣＳＩ要求フィールドが５ビットであることを指定する。ｅＮＢは、すべてのＵＬグラント内の５ビット非周期的ＣＳＩ要求について同一内容を構成し、ＵＥは、ほとんどのＣＣが同一の指示を有することの非周期的ＣＳＩ要求に従う。たとえば、ＣＣごとに、そのＣＣの非周期的ＣＳＩ報告は、
【００５６】
【数１】
2013539278.tif 000003
の場合にはトリガされ、そうでない場合にはトリガされず、ここで、ｂiは、ＣＣごとのトリガする値である（ｂi＝０，１、０はトリガしないを表し、１はトリガするを表す）。具体的には、３つのＵＬグラントが１サブフレーム内で送信され、ＣＣ１に関して、１つのアップリンク・グラントだけがトリガを示し、他の２つのアップリンク・グラントがトリガを示さない、すなわち、ｂ１＝０、ｂ２＝０、ｂ３＝１であると仮定すると、ＤＬ  ＣＣ１の非周期的ＣＳＩ報告は、トリガされない。
【００５７】
・代替案２  アップリンク・グラント内の非周期的ＣＳＩ要求フィールドは、１ビットである。ｅＮＢは、すべてのＵＬグラント内に１ビット非周期的ＣＳＩ要求を保ち、非周期的ＣＳＩ報告をトリガする必要があるＤＬ  ＣＣごとにＵＬグラントを送信する。複数のＤＬ  ＣＣが非周期的ＣＳＩ報告をトリガする必要がある場合には、複数のアップリンク・グラントが、この方法に従って送信される必要がある。したがって、ＵＬグラントのすべてのＤＣＩフォーマットは最小のサイズを有するが、ＵＬグラント・オーバーヘッドは大幅に増える。
【００５８】
・代替案３  アップリンク・グラント内の非周期的ＣＳＩ要求フィールドは、限られた個数のビットを有し、このビットの個数は、１より大きく、システム内のＣＣの許容される個数より小さい。すべてのＵＬグラント内の限られたビットを用いるビット・マッピングが、
ＵＬ  ＣＣが対にされない（たとえば、図１のＣＣ３）ＤＬ  ＣＣ、および
ＵＬ  ＣＣが対にされ、対にされたＵＬ  ＣＣがＵＬ−ＳＣＨデータ送信を有しない（たとえば、図１のＣＣ２）ＤＬ  ＣＣ
などの必須ＤＬ  ＣＣの非周期的ＣＳＩ報告をトリガするのに使用される。
【００５９】
対にされたＵＬ  ＣＣがＵＬ−ＳＣＨデータ送信を有するＤＬ  ＣＣ（たとえば、図１のＣＣ１）は、上の必須ＤＬ  ＣＣに属さない。ＵＬグラントが、この場合にはＵＬデータ送信をスケジューリングするために必要なので、そのＵＬグラント内で非周期的ＣＳＩ要求を使用することは、ＵＬグラント・オーバーヘッドを増やさない。
【００６０】
実際には、５つすべてのＤＬ  ＣＣが特定のＵＥについて構成されるかアクティブ化され、同時に、すべての構成されまたはアクティブ化されたＤＬ  ＣＣがＣＣ２（それと対にされたＵＬ  ＣＣがＵＬ−ＳＣＨデータ送信を有しない）またはＣＣ３（対にされたＵＬ  ＣＣを有しない）のように動作することは、めったに発生しない。したがって、非周期的ＣＳＩ報告をトリガするのに３ビットを有するビット・マッピングを使用することは、ほとんどのシナリオで十分である可能性がある。ワースト・シナリオで３ビットが十分でない場合には、複数の解決策を使用して、相補性として対処することができる。
【００６１】
たとえば、ＵＬ−ＳＣＨデータ送信を用いてアップリンク・グラントを送信すること（第１アップリンク・グラントと称する）に加えて、第１アップリンク・グラントによってトリガされない残りのＤＬ  ＣＣは、１つまたは複数のさらなるＤＬ  ＣＣを使用することによってトリガされる。たとえば、残りのＤＬ  ＣＣと同数の単一ビットのトリガするアップリンク・グラントを使用することができる（すなわち、ＣＩＦを用いてマークされたＣＣをトリガするのみのアップリンク・グラント）。ＵＬ−ＳＣＨデータ送信を伴わないアップリンク・グラントを、ＵＬ−ＳＣＨデータ送信を有するアップリンク・グラントと同一のＴＴＩに送信するか、後続ＴＴＩに送信することができる。
【００６２】
これらの相補的解決策の応用例は、異なる応用環境に依存して変化する。ほとんどの場合に、１つのアップリンク・グラントだけを送信する必要があり、したがって、アップリンク・グラント・オーバヘッドは、相対的に少ない。さらに、限られた個数のビットを有するＣＳＩ要求フィールドは、ＤＣＩフォーマットを相対的に小さくする。したがって、代替案３は、ＤＣＩフォーマット・サイズとＵＬグラント・オーバーヘッドとの間のトレードオフを達成し、これは、好ましい実施解決策である。
【００６３】
・代替案４  アップリンク・グラント内の非周期的ＣＳＩ要求フィールドは、限られた個数のビットを有し、ビットの個数は、１より大きく、システム内のＣＣの許容される個数より小さい。すべてのＵＬグラント内に限られたビットを用いるビット・マッピングは、ＤＬ  ＣＣの構成可能な個数に関する非周期的ＣＳＩをトリガするのに使用され、各ビットは、ＤＬ  ＣＣまでのサブセットの非周期的ＣＳＩ報告をトリガするのに使用される。たとえば、システムが、多くとも５つのＣＣ（たとえば、ＣＣ１、ＣＣ２、ＣＣ３、ＣＣ４、およびＣＣ５）を許容する場合に、ＣＣ１およびＣＣ２は、１つのサブセットにグループ化され、ＣＣ３およびＣＣ４は、別のサブセットにグループ化され、ＣＣ５は、１つのサブセットである。当業者は、ＣＣグループ化がさまざまな形を有することができることを了解するであろう。たとえば、ＣＣ１およびＣＣ２のそれぞれが、１つのサブセットであり、ＣＣ３〜ＣＣ５が、１つのサブセットにグループ化されるなどである。ＣＣグループ化を、上の層のシグナリングによって事前に割り当て、半静的に構成することができる。ＵＬグラントの限られたビット・マッピング内の各ビットは、ＤＬ  ＣＣのあるサブセットの非周期的ＣＳＩ報告をトリガすることができる。したがって、ＤＣＩフォーマット・サイズが減らされる。ＣＣのサブセット内のＣＣの一部が非周期的ＣＳＩ報告についてトリガされない時には、追加のＣＳＩ報告オーバーヘッドをこうむるが、この解決策は、それでも、すべてのＤＬ  ＣＣの非周期的ＣＳＩ報告をトリガするのに１つのアップリンク・グラントを使用することより優れている。
【００６４】
・代替案５  アップリンク・グラント内の非周期的ＣＳＩ要求フィールドは、限られた個数のビットを有し、ビットの個数は、１より大きく、システム内のＣＣの許容される個数より小さい。ＣＳＩ要求フィールド内の限られたビットは、異なる組合せ値を有することができる、すなわち、このＣＳＩ要求フィールドは、異なる値を有することができる。これらの異なる値によって、ＤＬ  ＣＣの異なる組合せのＣＳＩ要求を示すことが可能である。ＣＳＩ要求フィールドの異なる値とＤＬ  ＣＣの異なる組合せ（サブセット）のＣＳＩ要求との間のマッピング関係を、より上の層のシグナリング（たとえば、ＲＲＣシグナリング）によって事前に割り当てることができる。上で説明したように、ここでのコンポーネント・キャリアは、ＵＥのアクティブ化されたＣＣまたはＵＥの構成されたＣＣだけを考慮することができる。
【００６５】
一実施形態では、アップリンク・グラント内の非周期的ＣＳＩ要求フィールドは、２ビットを有し、ＵＥは、それぞれＣＣ１、ＣＣ２、およびＣＣ３としてマークされる３つのアクティブ化された（または構成された）ＤＬ  ＣＣを有する。ＣＳＩ要求フィールドは、４つの異なる値すなわち、００、０１、１０、および１１を有することができる。より上の層のシグナリングによって、ＣＳＩ要求フィールドの異なる値と異なるＣＣ組合せとの間のマッピング関係を事前に割り当てることが可能である。たとえば、あるＣＳＩ要求値（たとえば、１０）は、このアップリンク・グラントを搬送するＤＬ  ＣＣだけのＣＳＩ報告のトリガを指示する。異なる値（たとえば、１１）は、すべてのＤＬ  ＣＣのＣＳＩ報告のトリガを指示する。他の２つの値は、ＤＬ  ＣＣの他の２つの異なる組合せのＣＳＩ報告を指示することができ、たとえば、００は、どのＤＬ  ＣＣのＣＳＩ報告をもトリガしないことを指示し、０１は、ＣＣ１およびＣＣ２のＣＳＩ報告のトリガを指示する。
【００６６】
もう１つの実施形態では、アップリンク・グラント内の非周期的ＣＳＩ要求フィールドは、３ビットを有する。ＣＳＩ要求フィールドは、９つの異なる値すなわち、０００、００１、・・・、１１１を有することができる。したがって、ＤＬ  ＣＣの最大９つの異なる組合せのＣＳＩ要求を表すことが可能である。下に、ＵＥが４つのＣＣを有する場合の、ＣＳＩ要求フィールドの値とアクティブ化されたＤＬ  ＣＣとの間のマッピング関係の例を示す。
０００−どのＤＬ  ＣＣのＣＳＩ報告をもトリガしない
１００−アップリンク・グラントを搬送するＤＬ  ＣＣ（たとえば、ＣＣ１）の報告をトリガする
００１−ＣＣ１およびＣＣ２のＣＳＩ報告をトリガする
０１０−ＣＣ２およびＣＣ３のＣＳＩ報告をトリガする
・・・
１１１−すべてのＤＬ  ＣＣのＣＳＩ報告をトリガする
【００６７】
非周期的ＳＲＳ要求
本発明のもう１つの実施形態では、限られたビットをマッピングするビットによって、複数の構成可能なＵＬ  ＣＣ（たとえば、Ｎ個のＵＬ  ＣＣ、ここで、Ｎは、１以上の正整数）の非周期的ＳＲＳ送信をトリガする効率的な機構が提供され、Ｎは、ＤＣＩフォーマット・サイズとＵＬグラント・オーバーヘッドとの間のトレードオフを達成するために、ＵＥの構成されたまたはアクティブ化されたＣＣの個数Ｎｃｃ以下である。いくつかの実施形態が適用されるシステムでは、アクティブ化されたＤＬ  ＣＣのＣＳＩ報告の要求またはトリガだけが許容される場合があり、したがって、そのような実施形態では、ＵＥのアクティブ化されたＣＣだけが考慮される。他の実施形態が適用されるシステムでは、非アクティブ化されたＤＬ  ＣＣのＣＳＩ報告のトリガだけが許容される場合があり、したがって、これらの実施形態では、ＵＥの構成されたＣＣを考慮しなければならない。
【００６８】
複数のＣＣの非周期的ＳＲＳ送信のトリガは、非周期的ＣＳＩ報告のトリガについて調査されたものに類似する方法を使用することができる。すなわち、ＣＳＩ要求に関する上の代替案１、代替案２、代替案３、代替案４、および代替案５を、単純な変更を介してＳＲＳ要求に使用することができる。唯一の相違は、ＣＳＩがＤＬ  ＣＣのチャネル品質フィードバックであり、ＳＲＳがＵＬ  ＣＣの基準信号送信なので、アップリンク・グラント内のＣＳＩ要求フィールド内のビットは、ＤＬ  ＣＣにマッピングされるが、アップリンク・グラント内のＳＲＳ要求フィールド内のビットは、ＵＬ  ＣＣにマッピングされることである。
【００６９】
詳細な説明を、下で図面を参照して提示する。
【００７０】
図１に、ＬＴＥ−ＡｄｖａｎｃｅｄシステムでのＤＬ／ＵＬ対およびクロスキャリア・スケジューリングの概略図を示す。
【００７１】
このシステムには、２つのＵＬ  ＣＣすなわちＣＣ１’およびＣＣ２’と一緒に、構成された３つのＤＬ  ＣＣすなわちＣＣ１、ＣＣ２、およびＣＣ３がある。ＣＣ１およびＣＣ１’は、１つのセルを形成し、ＣＣ１’上には、スケジューリングされるデータ送信があり、ＣＣ２およびＣＣ２’は、１つのセルを形成する。ＣＣ３は、対にされるＵＬ  ＣＣを有しない。この場合には、クロス・スケジューリングが使用可能にされる。
【００７２】
ＣＣ１’上には、スケジューリングされるデータ送信があるので、ｅＮＢは、ＣＣ１’上でのデータ送信に関するアップリンク・スケジューリングを送信する。本発明の実施形態によれば、ｅＮＢは、アップリンク・スケジューリング内でＣＳＩ要求フィールドをマッピングすることによって、ＣＣ１、ＣＣ２、および／またはＣＣ３のＣＳＩ報告を同時にトリガすることができる。さらに、ｅＮＢは、アップリンク・スケジューリング内でＳＲＳ要求フィールドをマッピングすることによって、ＣＣ１’およびＣＣ２’のＳＲＳ送信を同時にトリガすることができる。
【００７３】
下で、たとえば代替案３を採用することによる、本発明の実施形態でのＣＳＩ要求フィールドの処理に対する実例を提示する。一実施形態では、ＣＳＩ要求フィールドが３ビットであることを事前に指定することができる。３ビットＣＳＩ要求フィールドの１ビット（たとえば、第１ビット）は、ＣＩＦフィールド内で示されるＣＣに割り当てられ、他の２つのビットは、ＤＬ  ＣＣの優先順位順序に従ってマッピングされる。ＤＬ  ＣＳの上から下への優先順位順序が、ＣＣ１、ＣＣ３、およびＣＣ２である場合に、図１に示されたケースでは、ＣＳＩ要求フィールドの第１ビットは、ＣＣ１にマッピングされ、第２ビットは、ＣＣ３にマッピングされ、第３ビットは、ＣＣ２にマッピングされる。一実施形態では、３ビットＣＳＩ要求フィールドの最後のビット（たとえば、第３ビット）を、ＣＩＦフィールド内で示されるＣＣに割り当てることができ、他の２ビットは、より上の層のシグナリングによって与えられるＣＣ順次順序で他の２つのＣＣに割り当てられる。図１に示されたケースでは、ＣＳＩ要求フィールドの第１ビットは、ＣＣ２にマッピングされ、第２ビットは、ＣＣ３にマッピングされ、第３ビットは、ＣＣ１にマッピングされる。
【００７４】
次に、下で、たとえば代替案３を採用することによる、本発明の実施形態でのＳＲＳ要求フィールドの処理に対する実例を提示する。一実施形態では、ＳＲＳ要求フィールドが３ビットであることを事前に指定することができる。図１での瞬間に起因して、２つのＵＬ  ＣＣだけが、ＵＥのために構成され、従って、１ビットを予約することができる。より上の層のシグナリングによって、３ビットＳＲＳ要求フィールドの１ビット（たとえば、第１ビット）が、ＣＩＦフィールド内で示されるＣＣに割り当てられなければならず、中央ビットが他のＵＬ  ＣＣに割り当てられ、最後のビットが予約済みビットとして使用されることを指定することができる。
【００７５】
当業者は、より多くのＵＬ  ＣＣがＵＥのために構成されまたはアクティブ化される場合に、アップリンク・グラント内のＳＲＳ要求フィールドの１ビットを、アップリンク・グラントを搬送しつつあるＤＬ  ＣＣに対応させ、残りのビットを、より上の層のシグナリングによって与えられるＵＬ  ＣＣの優先順位順序またはＣＣ通し番号に従って異なるＵＬ  ＣＣに対応させることが可能であることを了解するはずである。
【００７６】
図２に、本発明の実施形態によるキャリア・アグリゲーション・システムの非周期的チャネル状態情報（ＣＳＩ）をトリガする方法の流れ図を示す。図２に示されているように、アップリンク・グラント内のＣＳＩ要求フィールドのビットと複数のダウンリンク・コンポーネント・キャリアＤＬ  ＣＣとの間の対応する関係は、ステップ２０１で事前に割り当てられ、ＣＳＩ要求フィールドのビットの個数は、１より大きく、システム内のＤＬ  ＣＣの最大の許容される個数より小さい。ステップ２０２では、非周期的ＣＳＩ報告がトリガされなければならないＤＬ  ＣＣを判定する。ステップ２０３では、アップリンク・グラント内のＣＳＩ要求フィールドを、事前に割り当てられた対応する関係に従ってマッピングし、判定されたＤＬ  ＣＣに対応するビットの値を「トリガ」としてマークする。
【００７７】
本発明の一実施形態によれば、ステップ２０１は、ユーザ機器ＵＥのすべてのＤＬ  ＣＣを複数のサブセットに分割することと、ＣＳＩ要求フィールドの異なるビットを異なるサブセットに対応させることとをさらに含む。
【００７８】
本発明の一実施形態によれば、ステップ２０３は、ステップ２０２で判定されたＤＬ  ＣＣが属するサブセットに対応するビットの値を「トリガ」としてマークすることをさらに含む。
【００７９】
本発明の一実施形態によれば、ＣＳＩ要求フィールド内のビットの個数は、ＤＬ  ＣＣが分割されるサブセットの個数と等しく、各ビットは、異なるサブセットに対応する。
【００８０】
本発明の一実施形態によれば、ステップ２０１は、アップリンク・グラント内のＣＳＩ要求フィールドの１ビットを、アップリンク・グラントを搬送しつつあるＤＬ  ＣＣに対応させることと、残りのビットを、より上の層のシグナリングによって与えられるＤＬ  ＣＣの優先順位順序またはＣＣ通し番号に従って異なるＤＬ  ＣＣに対応させることとをさらに含む。
【００８１】
本発明の一実施形態によれば、ステップ２０３は、ＣＳＩ要求フィールドのマッピング中に、ステップ２０２で判定されたＤＬ  ＣＣに対応するビットの値を「トリガ」としてマークすることをさらに含む。
【００８２】
本発明の一実施形態によれば、残りのビットに対応するＤＬ  ＣＣは、アップリンク共用チャネル（ｕｐｌｉｎｋ  ｓｈａｒｅｄ  ｃｈａｎｎｅｌ）  ＵＬ  ＳＣＨ上のデータ送信がある関連するアップリンク・コンポーネント・キャリアＵＬ  ＣＣを有するＤＬ  ＣＣを含まない。
【００８３】
図３に、本発明のもう１つの実施形態によるキャリア・アグリゲーション・システムの非周期的チャネル状態情報（ＣＳＩ）をトリガする方法の流れ図を示す。図３に示された実施形態は、ステップ２０２〜２０３だけではなく、ステップ３０４をも含む。ステップ３０４では、１つのアップリンク・グラントが、ステップ２０２で判定されたすべてのＤＬ  ＣＣのＣＳＩ報告をトリガするのに十分でない時に、複数の単一ビットのトリガするアップリンク・グラントを、第１アップリンク・グラントと同一のサブフレーム内または後続サブフレーム内で送信する。
【００８４】
図４に、本発明の実施形態によるキャリア・アグリゲーション・システムの非周期的チャネル状態情報（ＣＳＩ）を報告する方法の流れ図を示す。図４に示されているように、ステップ４０１では、アップリンク・グラント内のＣＳＩ要求フィールドのビットとユーザ機器の複数のダウンリンク・コンポーネント・キャリアＤＬ  ＣＣとの間の対応する関係を事前に割り当て、アップリンク・グラント内のＣＳＩ要求フィールドのビットの個数は、１より大きく、システム内のＤＬ  ＣＣの最大の許容される個数より小さい。ステップ４０２では、非周期的ＣＳＩ報告が実施されるＤＬ  ＣＣを判定するために、受信されたアップリンク・グラント内のＣＳＩ要求フィールドを、事前に割り当てられた対応する関係に従ってデマッピングする。
【００８５】
本発明の一実施形態によれば、ステップ４０１は、ユーザ機器ＵＥのすべてのＤＬ  ＣＣを複数のサブセットに分割することと、ＣＳＩ要求フィールドの異なるビットを異なるサブセットに対応させることとをさらに含む。本発明の一実施形態によれば、ステップ４０２は、非周期的ＣＳＩ報告が、ＣＳＩ要求フィールド内で「トリガ」としてマークされているビットに対応するサブセット内のすべてのＤＬ  ＣＣについて実施されなければならないと判定することをさらに含む。
【００８６】
本発明の一実施形態によれば、ＣＳＩ要求フィールドのビットの個数は、ＤＬ  ＣＣが分割されるサブセットの個数と等しく、各ビットは、異なるサブセットに対応する。
【００８７】
本発明の一実施形態によれば、ステップ４０１は、アップリンク・グラント内のＣＳＩ要求フィールドの１ビットを、そのアップリンク・グラントを搬送しつつあるＤＬ  ＣＣに対応させることと、残りのビットを、より上の層のシグナリングによって与えられるＤＬ  ＣＣの優先順位順序またはＣＣ通し番号に従って、異なるＤＬ  ＣＣに対応させることとをさらに含む。
【００８８】
本発明の一実施形態によれば、ステップ４０２は、非周期的ＣＳＩ報告が、ＣＳＩ要求フィールド内で「トリガ」としてマークされているビットに対応するＤＬ  ＣＣについて実施されなければならないと判定することをさらに含む。
【００８９】
本発明の一実施形態によれば、残りのビットに対応するＤＬ  ＣＣは、アップリンク共用チャネル  ＵＬ  ＳＣＨ上のデータ送信がある関連するアップリンク・コンポーネント・キャリアＵＬ  ＣＣを有するＤＬ  ＣＣを含まない。
【００９０】
図５に、本発明の実施形態によるキャリア・アグリゲーション・システムの非周期的チャネル状態情報（ＣＳＩ）をトリガする装置のブロック図を示す。図５に示されたトリガする装置は、第１の事前に割り当てる手段５０１、第１の判定する手段５０２、およびマッピングする手段５０３を含む。第１の事前に割り当てる手段は、アップリンク・グラント内のＣＳＩ要求フィールドのビットとユーザ機器の複数のダウンリンク・コンポーネント・キャリアＤＬ  ＣＣとの間の対応する関係を事前に割り当てるためのものであり、ＣＳＩ要求フィールドのビットの個数は、１より大きく、システム内のＤＬ  ＣＣの最大の許容される個数より小さい。第１の判定する手段５０２は、非周期的ＣＳＩ報告がトリガされるＤＬ  ＣＣを判定するためのものである。マッピングする手段５０３は、事前に割り当てられた対応する関係に従ってアップリンク・グラント内のＣＳＩ要求フィールドをマッピングし、判定されたＤＬ  ＣＣに対応するビットの値を「トリガ」としてマークするためのものである。
【００９１】
本発明の一実施形態によれば、第１の事前に割り当てる手段５０１は、さらに、ユーザ機器ＵＥのすべてのＤＬ  ＣＣを複数のサブセットに分割し、ＣＳＩ要求フィールドの異なるビットを異なるサブセットに対応させるためのものである。
【００９２】
本発明の一実施形態によれば、マッピングする手段５０３は、さらに、ステップ２０２で判定されたＤＬ  ＣＣが属するサブセットに対応するビットの値を「トリガ」としてマークするためのものである。
【００９３】
本発明の一実施形態によれば、ＣＳＩ要求フィールド内のビットの個数は、ＤＬ  ＣＣが分割されるサブセットの個数と等しく、各ビットは、異なるサブセットに対応する。
【００９４】
本発明の一実施形態によれば、第１の事前に割り当てる手段５０１は、さらに、アップリンク・グラント内のＣＳＩ要求フィールドの１ビットを、アップリンク・グラントを搬送しつつあるＤＬ  ＣＣに対応させ、残りのビットを、より上の層のシグナリングによって与えられるＤＬ  ＣＣの優先順位順序またはＣＣ通し番号に従って異なるＤＬ  ＣＣＮ対応させるためのものである。
【００９５】
本発明の一実施形態によれば、マッピングする手段５０３は、さらに、ＣＳＩ要求フィールドのマッピング中に、第１の判定する手段５０２によって判定されたＤＬ  ＣＣに対応するビットの値を「トリガ」としてマークするためのものである。
【００９６】
本発明の一実施形態によれば、残りのビットに対応するＤＬ  ＣＣは、アップリンク共用チャネル  ＵＬ  ＳＣＨ上のデータ送信がある関連するアップリンク・コンポーネント・キャリアＵＬ  ＣＣを有するＤＬ  ＣＣを含まない。
【００９７】
図６に、本発明の実施形態によるキャリア・アグリゲーション・システムの非周期的チャネル状態情報（ＣＳＩ）を報告する装置のブロック図を示す。図６に示された報告する装置６００は、第２の事前に割り当てる手段６０１および第２の判定する手段６０２を含む。第２の事前に割り当てる手段６０１は、アップリンク・グラント内のＣＳＩ要求フィールドのビットとユーザ機器の複数のダウンリンク・コンポーネント・キャリアＤＬ  ＣＣとの間の対応する関係を事前に割り当てるためのものであり、ＣＳＩ要求フィールドのビットの個数は、１より大きく、システム内のＤＬ  ＣＣの最大の許容される個数より小さい。第２の判定する手段６０２は、非周期的ＣＳＩ報告が実施されるＤＬ  ＣＣを判定するために、受信されたアップリンク・グラント内のＣＳＩ要求フィールドを、事前に割り当てられた対応する関係に従ってデマッピングするためのものである。
【００９８】
本発明の一実施形態によれば、第２の事前に割り当てる手段６０１は、さらに、ユーザ機器ＵＥのすべてのＤＬ  ＣＣを複数のサブセットに分割し、ＣＳＩ要求フィールドの異なるビットを異なるサブセットに対応させるためのものである。
【００９９】
本発明の一実施形態によれば、第２の判定する手段６０２は、さらに、非周期的ＣＳＩ報告が、ＣＳＩ要求フィールド内で「トリガ」としてマークされているビットに対応するサブセット内のすべてのＤＬ  ＣＣについて実施されなければならないと判定するためのものである。
【０１００】
本発明の一実施形態によれば、ＣＳＩ要求フィールドのビットの個数は、ＤＬ  ＣＣが分割されるサブセットの個数と等しく、各ビットは、異なるサブセットに対応する。
【０１０１】
本発明の一実施形態によれば、第２の事前に割り当てる手段は、さらに、アップリンク・グラント内のＣＳＩ要求フィールドの１ビットを、そのアップリンク・グラントを搬送しつつあるＤＬ  ＣＣに対応させ、残りのビットを、より上の層のシグナリングによって与えられるＤＬ  ＣＣの優先順位順序またはＣＣ通し番号に従って、異なるＤＬ  ＣＣに対応させるためのものである。
【０１０２】
本発明の一実施形態によれば、第２の判定する手段６０２は、さらに、非周期的ＣＳＩ報告が、ＣＳＩ要求フィールド内で「トリガ」としてマークされているビットに対応するＤＬ  ＣＣについて実施されなければならないと判定するためのものである。
【０１０３】
本発明の一実施形態によれば、残りのビットに対応するＤＬ  ＣＣは、アップリンク共用チャネル  ＵＬ  ＳＣＨ上のデータ送信がある関連するアップリンク・コンポーネント・キャリアＵＬ  ＣＣを有するＤＬ  ＣＣを含まない。
【０１０４】
図７に、本発明の実施形態によるキャリア・アグリゲーション・システムの非周期的アップリンクサウンディングレファレンス信号（ＳＲＳ）をトリガする方法の流れ図を示す。図７に示されているように、ステップ７０１では、アップリンク・グラント内のＳＲＳ要求フィールドのビットと複数のアップリンク・コンポーネント・キャリアＵＬ  ＣＣとの間の対応する関係を事前に割り当て、ＳＲＳ要求フィールドのビットの個数は、１より大きく、システム内のＵＬ  ＣＣの最大の許容される個数より小さい。ステップ７０２では、非周期的ＳＲＳがトリガされるＵＬ  ＣＣを判定する。ステップ７０３では、アップリンク・グラント内のＳＲＳ要求フィールドを、事前に割り当てられた対応する関係に従ってマッピングし、判定されたＵＬ  ＣＣに対応するビットの値を「トリガ」としてマークする。
【０１０５】
本発明の一実施形態によれば、ステップ７０１は、ユーザ機器ＵＥのすべてのＵＬ  ＣＣを複数のサブセットに分割することと、ＳＲＳ要求フィールドの異なるビットを異なるサブセットに対応させることとをさらに含む。
【０１０６】
本発明の一実施形態によれば、ステップ７０３は、ステップ７０２で判定されたＵＬ  ＣＣが属するサブセットに対応するビットの値を「トリガ」としてマークすることをさらに含む。
【０１０７】
本発明の一実施形態によれば、ステップ７０１は、アップリンク・グラント内のＳＲＳ要求フィールドの１ビットを、同一のアップリンク・グラント内のＣＩＦフィールドによって指定されるＣＣに対応させることと、残りのビットを、より上の層のシグナリングによって与えられるＵＬ  ＣＣの優先順位順序またはＣＣ通し番号に従って、異なるＵＬ  ＣＣに対応させることとをさらに含む。当業者は、同一のアップリンク・グラント内のＣＩＦフィールドによって指定されるＣＣが、そのアップリンク・グラントを搬送しつつあるＤＬ  ＣＣと対にされた搬送波であることを了解するはずである。
【０１０８】
本発明の一実施形態によれば、ステップ７０３は、ステップ７０２で判定されたＵＬ  ＣＣに対応するビットの値を、ＳＲＳ要求フィールドのマッピング中に「トリガ」としてマークすることをさらに含む。
【０１０９】
図８に、本発明の実施形態によるキャリア・アグリゲーション・システムの非周期的アップリンクサウンディングレファレンス信号（ＳＲＳ）の送信方法の流れ図を示す。図８に示されているように、ステップ８０１では、アップリンク・グラント内のＳＲＳ要求フィールドのビットとユーザ機器の複数のアップリンク・コンポーネント・キャリアＵＬ  ＣＣとの間の対応する関係を事前に割り当て、ＳＲＳ要求フィールドのビットの個数は、１より大きく、システム内のＵＬ  ＣＣの最大の許容される個数より小さい。ステップ８０２では、ＳＲＳ送信が実施されるＵＬ  ＣＣを判定するために、予約済みアップリンク・グラント内のＳＲＳ要求フィールドを、事前に割り当てられた対応する関係に従ってデマッピングする。
【０１１０】
本発明の一実施形態によれば、ステップ８０１は、ユーザ機器ＵＥのすべてのＵＬ  ＣＣを複数のサブセットに分割することと、ＳＲＳ要求フィールドの異なるビットを異なるサブセットに対応させることとをさらに含む。
【０１１１】
本発明の一実施形態によれば、ステップ８０２は、ＳＲＳ要求フィールド内で「トリガ」としてマークされているビットに対応するサブセット内のすべてのＵＬ  ＣＣ上でＳＲＳ送信が実施されることを判定することをさらに含む。
【０１１２】
本発明の一実施形態によれば、ステップ８０１は、アップリンク・グラント内のＳＲＳ要求フィールドの１ビットを、同一のアップリンク・グラント内のＣＩＦフィールドによって指定されるＣＣに対応させることと、残りのビットを、より上の層のシグナリングによって与えられるＵＬ  ＣＣの優先順位順序またはＣＣ通し番号に従って、異なるＵＬ  ＣＣに対応させることとをさらに含む。
【０１１３】
本発明の一実施形態によれば、ステップ８０２は、ＳＲＳ送信が、ＳＲＳ要求フィールド内で「トリガ」としてマークされているビットに対応するＵＬ  ＣＣ上で実施されなければならないと判定することをさらに含む。
【０１１４】
図９に、本発明の実施形態によるキャリア・アグリゲーション・システムの非周期的アップリンクサウンディングレファレンス信号（ＳＲＳ）をトリガする装置のブロック図を示す。図９に示されたトリガする装置は、第３の事前に割り当てる手段９０１、第３の判定する手段９０２、および第３のマッピングする手段９０３を含む。第３の事前に割り当てる手段９０１は、アップリンク・グラント内のＳＲＳ要求フィールドのビットとユーザ機器の複数のアップリンク・コンポーネント・キャリアＵＬ  ＣＣとの間の対応する関係を事前に割り当てるためのものであり、ＳＲＳ要求フィールドのビットの個数は、１より大きく、システム内のＵＬ  ＣＣの最大の許容される個数より小さい。第３の判定する手段９０２は、非周期的ＳＲＳがトリガされるＵＬ  ＣＣを判定するためのものである。第３のマッピングする手段９０３は、アップリンク・グラント内のＳＲＳ要求フィールドを、事前に割り当てられた対応する関係に従ってマッピングし、判定されたＵＬ  ＣＣに対応するビットの値を「トリガ」としてマークするためのものである。
【０１１５】
本発明の一実施形態によれば、第３の事前に割り当てる手段９０１は、さらに、ユーザ機器ＵＥのすべてのＵＬ  ＣＣを複数のサブセットに分割し、ＳＲＳ要求フィールドの異なるビットを異なるサブセットに対応させる。
【０１１６】
本発明の一実施形態によれば、第３のマッピングする手段９０３は、さらに、第３の判定する手段９０２によって判定されたＵＬ  ＣＣが属するサブセットに対応するビットの値を「トリガ」としてマークする。
【０１１７】
本発明の一実施形態によれば、第３の事前に割り当てる手段９０１は、さらに、アップリンク・グラント内のＳＲＳ要求フィールドの１ビットを、同一のアップリンク・グラント内のＣＩＦフィールドによって指定されるＣＣに対応させ、残りのビットを、より上の層のシグナリングによって与えられるＵＬ  ＣＣの優先順位順序またはＣＣ通し番号に従って、異なるＵＬ  ＣＣに対応させる。
【０１１８】
本発明の一実施形態によれば、第３のマッピングする手段９０３は、さらに、第３の判定する手段９０２によって判定されたＵＬ  ＣＣに対応するビットの値を、ＳＲＳ要求フィールドのマッピング中に「トリガ」としてマークする。
【０１１９】
図１０に、本発明の実施形態によるキャリア・アグリゲーション・システムの非周期的アップリンクサウンディングレファレンス信号（ＳＲＳ）の送信装置のブロック図を示す。図１０に示された送信装置は、第４の事前に割り当てる手段１００１および第４の判定する手段１００２を含む。第４の事前に割り当てる手段１００１は、アップリンク・グラント内のＳＲＳ要求フィールドのビットとユーザ機器の複数のアップリンク・コンポーネント・キャリアＵＬ  ＣＣとの間の対応する関係を事前に割り当てるためのものであり、ＳＲＳ要求フィールドのビットの個数は、１より大きく、システム内のＵＬ  ＣＣの最大の許容される個数より小さい。第４の判定する手段１００２は、ＳＲＳ送信が実施されるＵＬ  ＣＣを判定するために、予約済みアップリンク・グラント内のＳＲＳ要求フィールドを、事前に割り当てられた対応する関係に従ってデマッピングするためのものである。
【０１２０】
本発明の一実施形態によれば、第４の事前に割り当てる手段は、さらに、ユーザ機器ＵＥのすべてのＵＬ  ＣＣを複数のサブセットに分割し、ＳＲＳ要求フィールドの異なるビットを異なるサブセットに対応させる。
【０１２１】
本発明の一実施形態によれば、第４の判定する手段１００２は、さらに、ＳＲＳ要求フィールド内で「トリガ」としてマークされているビットに対応するサブセット内のすべてのＵＬ  ＣＣ上でＳＲＳ送信が実施されることを判定する。
【０１２２】
本発明の一実施形態によれば、第４の事前に割り当てる手段１００１は、さらに、アップリンク・グラント内のＳＲＳ要求フィールドの１ビットを、同一のアップリンク・グラント内のＣＩＦフィールドによって指定されるＣＣに対応させ、残りのビットを、より上の層のシグナリングによって与えられるＵＬ  ＣＣの優先順位順序またはＣＣ通し番号に従って、異なるＵＬ  ＣＣに対応させる。
【０１２３】
本発明の一実施形態によれば、第４の判定する手段１００２は、さらに、ＳＲＳ送信が、ＳＲＳ要求フィールド内で「トリガ」としてマークされているビットに対応するＵＬ  ＣＣ上で実施されなければならないと判定する。
【０１２４】
図１１に、本発明のもう１つの実施形態によるキャリア・アグリゲーション・システムの非周期的チャネル状態情報（ＣＳＩ）をトリガする方法の流れ図を示す。図１１に示されているように、アップリンク・グラント内のＣＳＩ要求フィールドの異なる値とダウンリンク・コンポーネント・キャリアＤＬ  ＣＣの異なる組合せのＣＳＩ要求との間のマッピング関係を、ステップ１１０１で事前に割り当て、ＣＳＩ要求フィールドのビットの個数は、１より大きく、システム内のＤＬ  ＣＣの最大の許容される個数より小さい。ステップ１１０２では、非周期的ＣＳＩ報告がトリガされるＤＬ  ＣＣを判定する。ステップ１１０３では、アップリンク・グラント内のＣＳＩ要求フィールドの値を、事前に割り当てられたマッピング関係および判定されたＤＬ  ＣＣに従って投入する。
【０１２５】
本発明の一実施形態によれば、マッピング関係は、アップリンク・グラントを搬送するＤＬ  ＣＣのＣＳＩ報告がトリガされなければならないことを示すためのＣＳＩ要求フィールドの第１の値のマッピング、すべてのＤＬ  ＣＣのＣＳＩ報告がトリガされなければならないことを示すためのＣＳＩ要求フィールドの第２の値のマッピング、およびＤＬ  ＣＣの他の異なる組合せのＣＳＩ報告がトリガされなければならないことを示すための他の値のマッピングを含む。
【０１２６】
図１２に、本発明のもう１つの実施形態によるキャリア・アグリゲーション・システムの非周期的チャネル状態情報（ＣＳＩ）を報告する方法の流れ図を示す。図１２に示されているように、ステップ１２０１では、アップリンク・グラント内のＣＳＩ要求フィールドの異なる値とダウンリンク・コンポーネント・キャリアＤＬ  ＣＣの異なる組合せのＣＳＩ要求との間のマッピング関係を事前に割り当て、ＣＳＩ要求フィールドのビットの個数は、１より大きく、システム内のＤＬ  ＣＣの最大の許容される個数より小さい。ステップ１２０２では、非周期的ＣＳＩ報告が実施されるＤＬ  ＣＣを判定するために、受信されたアップリンク・グラント内のＣＳＩ要求フィールドを、事前に割り当てられたマッピング関係に従ってデマッピングする。
【０１２７】
図１３に、本発明のもう１つの実施形態によるキャリア・アグリゲーション・システムの非周期的チャネル状態情報（ＣＳＩ）をトリガする装置のブロック図を示す。図１３に示されたトリガする装置１３００は、第５の事前に割り当てる手段１３０１、第５の判定する手段１３０２、および第５のマッピングする手段１３０３を含む。第５の事前に割り当てる手段１３０１は、アップリンク・グラント内のＣＳＩ要求フィールドの異なる値とダウンリンク・コンポーネント・キャリアＤＬ  ＣＣの異なる組合せのＣＳＩ要求との間のマッピング関係を事前に割り当てるためのものであり、ＣＳＩ要求フィールドのビットの個数は、１より大きく、システム内のＤＬ  ＣＣの最大の許容される個数より小さい。第５の判定する手段１３０２は、非周期的ＣＳＩ報告がトリガされるＤＬ  ＣＣを判定するためのものである。第５のマッピングする手段１３０３は、アップリンク・グラント内のＣＳＩ要求フィールドの値を、事前に割り当てられたマッピング関係および判定されたＤＬ  ＣＣに従って投入するためのものである。
【０１２８】
図１４に、本発明のもう１つの実施形態によるキャリア・アグリゲーション・システムの非周期的チャネル状態情報（ＣＳＩ）を報告する装置のブロック図を示す。図１４に示された報告する装置１４００は、第６の事前に割り当てる手段１４０１および第６の判定する手段１４０２を含む。第６の事前に割り当てる手段１４０１は、アップリンク・グラント内のＣＳＩ要求フィールドの異なる値とダウンリンク・コンポーネント・キャリアＤＬ  ＣＣの異なる組合せのＣＳＩ要求との間のマッピング関係を事前に割り当てるためのものであり、ＣＳＩ要求フィールドのビットの個数は、１より大きく、システム内のＤＬ  ＣＣの最大の許容される個数より小さい。第６の判定する手段１４０２は、非周期的ＣＳＩ報告が実施されるＤＬ  ＣＣを判定するために、受信されたアップリンク・グラント内のＣＳＩ要求フィールドを、事前に割り当てられたマッピング関係に従ってデマッピングするためのものである。
【０１２９】
図１５に、本発明のもう１つの実施形態によるキャリア・アグリゲーション・システムの非周期的アップリンクサウンディングレファレンス信号（ＳＲＳ）をトリガする方法の流れ図を示す。図１５に示されているように、ステップ１５０１では、アップリンク・グラント内のＳＲＳ要求フィールドの異なるビットとアップリンク・コンポーネント・キャリアＵＬ  ＣＣの異なる組合せのＳＲＳ要求との間のマッピング関係を事前に割り当て、ＳＲＳ要求フィールドのビットの個数は、１より大きく、システム内のＵＬ  ＣＣの最大の許容される個数より小さい。ステップ１５０２では、非周期的ＳＲＳがトリガされるＵＬ  ＣＣを判定する。ステップ１５０３では、値を、事前に割り当てられたマッピング関係および判定されたＵＬ  ＣＣに従って、アップリンク・グラント内のＳＲＳ要求フィールドに投入する。
【０１３０】
本発明の一実施形態によれば、マッピング関係は、アップリンク・グラント内のキャリア指標フィールド（ｃａｒｒｉｅｒ  ｉｎｄｉｃａｔｏｒ  ｆｉｅｌｄ）によって指定されるＣＣ上でのＳＲＳ送信がトリガされなければならないことを示すためのＳＲＳ要求フィールドの第１の値のマッピングおよびすべてのＵＬ  ＣＣ上でのＳＲＳ送信がトリガされなければならないことを示すためのＳＲＳ要求フィールドの第２の値のマッピングを含む。
【０１３１】
図１６に、本発明のもう１つの実施形態によるキャリア・アグリゲーション・システムの非周期的アップリンクサウンディングレファレンス信号（ＳＲＳ）の送信方法の流れ図を示す。図１６に示されているように、ステップ１６０１では、アップリンク・グラント内のＳＲＳ要求フィールドの異なるビットとアップリンク・コンポーネント・キャリアＵＬ  ＣＣの異なる組合せのＳＲＳ要求との間のマッピング関係を事前に割り当て、ＳＲＳ要求フィールドのビットの個数は、１より大きく、システム内のＵＬ  ＣＣの最大の許容される個数より小さい。ステップ１６０２では、ＳＲＳ送信がその上で実施されるＵＬ  ＣＣを判定するために、受信されたアップリンク・グラント内のＳＲＳ要求フィールドを、事前に割り当てられたマッピング関係に従ってデマッピングする。
【０１３２】
図１７に、本発明のもう１つの実施形態によるキャリア・アグリゲーション・システムの非周期的アップリンクサウンディングレファレンス信号（ＳＲＳ）をトリガする装置のブロック図を示す。図１７に示されたトリガする装置１７００は、第７の事前に割り当てる手段１７０１、第７の判定する手段１７０２、および第７のマッピングする手段１７０３を含む。第７の事前に割り当てる手段１７０１は、アップリンク・グラント内のＳＲＳ要求フィールドの異なるビットとアップリンク・コンポーネント・キャリアＵＬ  ＣＣの異なる組合せのＳＲＳ要求との間のマッピング関係を事前に割り当てるためのものであり、ＳＲＳ要求フィールドのビットの個数は、１より大きく、システム内のＵＬ  ＣＣの最大の許容される個数より小さい。第７の判定する手段１７０２は、非周期的ＳＲＳがトリガされるＵＬ  ＣＣを判定するためのものである。第７のマッピングする手段１７０３は、事前に割り当てられたマッピング関係および判定されたＵＬ  ＣＣに従って、アップリンク・グラント内のＳＲＳ要求フィールドの値を投入するためのものである。
【０１３３】
図１８に、本発明のもう１つの実施形態によるキャリア・アグリゲーション・システムの非周期的アップリンクサウンディングレファレンス信号（ＳＲＳ）の送信装置のブロック図を示す。図１８に示された装置は、第８の事前に割り当てる手段１８０１および第８の判定する手段１８０２を含む。第８の事前に割り当てる手段１８０１は、アップリンク・グラント内のＳＲＳ要求フィールドの異なるビットとアップリンク・コンポーネント・キャリアＵＬ  ＣＣの異なる組合せのＳＲＳ要求との間のマッピング関係を事前に割り当てるためのものであり、ＳＲＳ要求フィールドのビットの個数は、１より大きく、システム内のＵＬ  ＣＣの最大の許容される個数より小さい。第８の判定する手段１８０２は、ＳＲＳ送信がその上で実施されるＵＬ  ＣＣを判定するために、受信されたアップリンク・グラント内のＳＲＳ要求フィールドを、事前に割り当てられたマッピング関係に従ってデマッピングするためのものである。
【０１３４】
本発明の実施形態は、キャリア・アグリゲーションに関する構成可能な個数のＤＬ  ＣＣの非周期的ＣＳＩ／ＳＲＳをトリガする機構を提供する。この機構は、ＣＳＩ／ＳＲＳ要求フィールドとして限られた個数のビットを使用し、ビット・マッピングまたは複数ビット値マッピングを介して、ＤＬ  ＣＣの異なる組合せの非周期的ＣＳＩ／ＳＲＳ要求を示す。したがって、この機構は、柔軟に構成されるだけではなく、アップリンク・グラントの追加オーバーヘッドを最小にすることもでき、これによって、ＤＣＬフォーマット・サイズとＵＬグラント・オーバーヘッドとの間のトレードオフを達成する。既存の解決策と比較して、本発明は、１つのサブセット内の複数のＤＬ  ＣＣの非周期的ＣＳＩ／ＳＲＳをトリガすることによって、フィードバック遅延を増やさず、ＤＣＩフォーマット・サイズとＵＬグラント・オーバーヘッドとの間のトレードオフを達成する。
【０１３５】
したがって、構成可能なＤＬ  ＣＣの非周期的ＣＳＩ報告をトリガする解決策は、減らされたＣＳＩ報告遅延および許容できるＣＳＩ報告オーバーヘッドを達成する。
【０１３６】
本発明の実施形態を、上で説明した。しかし、本発明は、特定の方法および装置に限定されない。逆に、当業者は、添付の特許請求の範囲の範囲内で、さまざまな変形形態または修正形態を作ることができる。
【図１】
2013539278.tif 000004
【図２】
2013539278.tif 000005
【図３】
2013539278.tif 000006
【図４】
2013539278.tif 000007
【図５】
2013539278.tif 000008
【図６】
2013539278.tif 000009
【図７】
2013539278.tif 000010
【図８】
2013539278.tif 000011
【図９】
2013539278.tif 000012
【図１０】
2013539278.tif 000013
【図１１】
2013539278.tif 000014
【図１２】
2013539278.tif 000015
【図１３】
2013539278.tif 000016
【図１４】
2013539278.tif 000017
【図１５】
2013539278.tif 000018
【図１６】
2013539278.tif 000019
【図１７】
2013539278.tif 000020
【図１８】
2013539278.tif 000021
【国際調査報告】
2013539278.tif 000022
2013539278.tif 000023